(57)【要約】【課題】機能を発揮できないにも関わらず操作者にスイッチの押圧操作を促してしまうことを防止する操作パネル、およびその操作パネルを備えた医療用診療装置を提供する。【解決手段】機能を発揮する機能部を備えた医療用診療装置に用いられる操作パネルであって、機能部に対応して基板上に配列されるとともに機能部による機能を発揮させるために押圧操作されるスイッチと、スイッチの上方に位置するパネルと、スイッチの位置を特定可能な位置表示に対して光を照射するＬＥＤとを備え、ＬＥＤは、スイッチの押圧操作によって機能部による機能を発揮できないときには、位置表示に対する光の照射を停止することによって、スイッチの押圧操作によって機能部による機能を発揮できるときよりも位置表示の視認性を低下させる。【選択図】図５
2018149382.tif 000002
【特許請求の範囲】
【請求項１】
ユーザが操作する操作パネルであって、
診療器具が有する複数の機能のそれぞれについて前記ユーザによる操作を受け付ける複数の操作部と、
前記複数の操作部のそれぞれについて前記診療器具の機能に関する関連情報を表示する表示部と、
前記関連情報を表示または非表示にさせる前記表示部を制御する制御部と、
を備え、
前記制御部は、被選択状態である前記診療器具の種類に応じて、当該診療器具の機能を発揮可能にさせる前記操作部に対応する前記表示部を表示制御する、操作パネル。
【請求項２】
前記診療器具のうち、第１診療器具が被選択状態であるときと、第２診療器具が被選択状態であるときとでは、前記表示部に表示される前記関連情報のうち、一部の前記関連情報が共通する一方で、その他の前記関連情報が異なる、請求項１に記載の操作パネル。
【請求項３】
前記複数の操作部は、前記診療器具が有する複数の機能のそれぞれに対応してパネルに備わるとともに前記ユーザによる押圧操作を受け付ける押圧スイッチである、請求項１または請求項２に記載の操作パネル。
【請求項４】
前記複数の操作部は、さらに、医療用診療装置の複数の機能のそれぞれについて前記ユーザによる操作を受け付け、
前記制御部は、被選択状態である前記診療器具の種類に応じて、前記診療器具における機能以外の前記医療用診療装置における機能を発揮可能にさせる前記操作部に対応する前記表示部を表示制御する、請求項１〜請求項３のいずれか１項に記載の操作パネル。
【請求項５】
前記表示部として、前記診療器具が被選択状態であるか否かを特定可能な特定表示部が設けられ、
前記制御部は、前記診療器具が被選択状態となったときに被選択状態となった当該診療器具に対応する前記特定表示部を表示制御する、請求項１〜請求項４のいずれか１項に記載の操作パネル。
【請求項６】
前記診療器具は、歯科用治療器具であり、
前記関連情報は、前記歯科用治療器具の動作機能に関する情報である、請求項１〜請求項５のいずれか１項に記載の操作パネル。
【請求項７】
前記表示部は、前記操作部に設けられた透過性の押圧面であって、当該押圧面には、前記関連情報が表示されており、
前記制御部は、前記表示部において前記関連情報を表示させる場合には光源を点灯させることで前記押圧面に付された前記関連情報に対して光を照射させ、前記表示部において前記関連情報を非表示にさせる場合には前記光源を消灯させることで前記押圧面に付された前記関連情報に対して光を照射させない、請求項１〜請求項６のいずれか１項に記載の操作パネル。
【請求項８】
ユーザが操作する操作パネルであって、
診療器具が有する複数の機能のそれぞれと、医療用診療装置の複数の機能のそれぞれとについて、前記ユーザによる操作を受け付ける複数の操作部と、
前記複数の操作部のそれぞれについて前記診療器具の機能に関する関連情報を表示する表示部と、
前記関連情報を表示または非表示にさせる前記表示部を制御する制御部と、
を備え、
前記制御部は、被選択状態である前記診療器具の種類に応じて、前記診療器具における機能以外の前記医療用診療装置における機能を発揮可能にさせる前記操作部に対応する前記表示部を表示制御する、操作パネル。
【請求項９】
操作パネルの表示を制御する制御装置であって、
前記操作パネルは、診療器具が有する複数の機能のそれぞれについてユーザによる操作を受け付ける複数の操作部と、前記複数の操作部のそれぞれについて前記診療器具の機能に関する関連情報を表示する表示部とを含み、
被選択状態である前記診療器具の種類に応じて、当該診療器具の機能を発揮可能にさせる前記操作部に対応する前記表示部で前記関連情報を表示させる制御部を備える、制御装置。
【発明の詳細な説明】
【技術分野】
【０００１】
本発明は、ユーザが操作する操作パネル、およびその操作パネルの表示を制御する制御装置に関する。
【背景技術】
【０００２】
従来から、歯科や医科などの医療分野における診療を行うための医療用診療装置には、所定の機能を発揮させるために押圧操作されるスイッチの位置を特定可能な表示（以下、位置表示ともいう）が表れる操作パネルを備えている。
【０００３】
たとえば、特許文献１に開示された歯科診療台には、診療椅子を昇降させたり、傾動させたりといった機能を発揮するための各種スイッチが設けられた操作パネルを備えている。
【先行技術文献】
【特許文献】
【０００４】
【特許文献１】特開２０１０−２７３９１６号公報
【発明の概要】
【発明が解決しようとする課題】
【０００５】
特許文献１に開示された操作パネルでは、各種スイッチが機能するか否かに関わらず、スイッチの位置が予めパネル上で視認できるように各種スイッチが設けられている。このため、たとえば、上昇させるためのスイッチがパネル上に常に表れているので、診療椅子の位置が上昇の限界であるにも関わらず、操作者は診療椅子をまだ上昇させることができるかのように錯覚してしまい、スイッチを押圧操作してしまう可能性があった。このように、特許文献１に開示された操作パネルにおいては、機能を発揮できないにも関わらず操作者にスイッチを誤って押圧操作させてしまうといった問題があった。
【０００６】
本発明は上記の課題を解決するためになされたものであり、機能を発揮できないにも関わらず操作者にスイッチを誤って押圧操作させてしまうことを防止する操作パネル、およびその操作パネルの表示を制御する制御装置を提供することを目的とする。
【課題を解決するための手段】
【０００７】
本発明に係る操作パネルは、ユーザが操作する操作パネルであって、診療器具が有する複数の機能のそれぞれについてユーザによる操作を受け付ける複数の操作部と、複数の操作部のそれぞれについて診療器具の機能に関する関連情報を表示する表示部と、関連情報を表示または非表示にさせる表示部を制御する制御部と、を備え、制御部は、被選択状態である診療器具の種類に応じて、当該診療器具の機能を発揮可能にさせる操作部に対応する表示部を表示制御する。
【０００８】
本発明に係る操作パネルは、ユーザが操作する操作パネルであって、診療器具が有する複数の機能のそれぞれと、医療用診療装置の複数の機能のそれぞれとについて、ユーザによる操作を受け付ける複数の操作部と、複数の操作部のそれぞれについて診療器具の機能に関する関連情報を表示する表示部と、関連情報を表示または非表示にさせる表示部を制御する制御部と、を備え、制御部は、被選択状態である診療器具の種類に応じて、診療器具における機能以外の医療用診療装置における機能を発揮可能にさせる操作部に対応する表示部を表示制御する。
【０００９】
本発明に係る制御装置は、操作パネルの表示を制御する制御装置であって、操作パネルは、診療器具が有する複数の機能のそれぞれについてユーザによる操作を受け付ける複数の操作部と、複数の操作部のそれぞれについて診療器具の機能に関する関連情報を表示する表示部とを含み、被選択状態である診療器具の種類に応じて、当該診療器具の機能を発揮可能にさせる操作部に対応する表示部で関連情報を表示させる制御部を備える。
【００１０】
本発明に係る操作パネルは、機能を発揮する少なくとも１つの機能部を備えた医療用診療装置に用いられる操作パネルであって、機能部に対応して基板上にそれぞれが予め固定されて配列されるとともに当該機能部による機能を発揮させるために押圧操作されるスイッチと、スイッチの上面に位置するパネルと、パネルに表れる表示であってスイッチの位置を特定可能な位置表示の視認性を変更する視認性変更部とを備え、パネルには、スイッチに対応する位置に機能部が発揮する機能を表す記号が予め設けられており、被選択状態である診療器具の種類に応じて、機能を発揮可能な機能部が異なり、視認性変更部は、スイッチの押圧操作によって機能部による機能を発揮できるときには、光照射部からの光を当該スイッチによって拡散させて当該スイッチに対応する位置に設けられたパネルの記号に照射することで、当該スイッチの位置を特定可能な位置表示をパネルに表し、スイッチの押圧操作によって機能部による機能を発揮できないときには、光照射部からの光の照射を停止することで、当該スイッチの押圧操作によって当該機能部による機能を発揮できるときよりも当該スイッチの位置を特定可能な位置表示の視認性を低下させ、診療器具のうちの第１診療器具が被選択状態であるときには、当該第１診療器具に対応する機能部による機能を発揮させることが可能なスイッチの位置を特定可能な位置表示のみをパネルに表し、診療器具のうちの第２診療器具が被選択状態であるときには、当該第２診療器具に対応する機能部による機能を発揮させることが可能なスイッチの位置を特定可能な位置表示のみをパネルに表し、第１診療器具が被選択状態であるときと、第２診療器具が被選択状態であるときとでは、パネルに表れる位置表示のうち、一部の位置表示が共通する一方で、その他の位置表示が異なる。スイッチは、機械式のスイッチであってもよい。
【００１１】
好ましくは、視認性変更部は、スイッチの押圧操作によって機能部による機能を発揮できないときには、操作者に認識されない程度に位置表示の視認性を低下させる。
【００１２】
好ましくは、機能部は、機能を段階的に発揮することが可能であり、スイッチは、押圧操作される時間または回数に応じて機能部による機能を連続的または段階的に発揮させることが可能であり、視認性変更部は、スイッチの押圧操作によって機能部がすでに機能を発揮し終えているときには、当該スイッチの押圧操作によって当該機能部が未だ機能を発揮し終えていないときよりも、位置表示の視認性を低下させる。
【００１３】
「機能を発揮し終えているとき」とは、機能部が機能を限界まで発揮済みであることにより、これ以上の機能を発揮できない状態を少なくとも意味する。また、「機能を発揮し終えていないとき」とは、機能部が未だ機能を限界まで発揮済みでないことにより、未だ機能を発揮できる余地がある状態を少なくとも意味する。
【００１４】
好ましくは、機能部は、医療用診療装置の位置または姿勢の少なくともいずれかを連続的または段階的に変更する機能を発揮することが可能である。
【００１５】
好ましくは、機能部は、被選択状態である診療器具からの診療用媒体の出射を制御する機能を発揮することが可能であり、視認性変更部は、診療器具から診療用媒体が出射不可能なときには、当該診療器具から当該診療用媒体が出射可能なときよりも、位置表示の視認性を低下させる。
【００１６】
「診療用媒体」とは、たとえば、患部の冷却に用いる水やエア、あるいは、患部を照明する光のように、診療用に用いられるあらゆる媒体を少なくとも意味する。また、「診療用媒体が出射不可能なとき」とは、診療用媒体を出射可能な診療器具が被選択状態でないときや、診療器具が被選択状態であっても、当該診療器具が療用媒体を出射するための機能を有しないときを少なくとも意味する。
【００１７】
好ましくは、機能部は、スイッチ以外の操作部によって操作されることによっても機能を発揮することが可能であり、視認性変更部は、操作部の操作によって機能部による機能を発揮できないときには、当該操作部の操作によって当該機能部による機能を発揮できるときよりも、位置表示の視認性を低下させる。
【００１８】
好ましくは、機能部による機能を発揮できないときに、スイッチが押圧操作されると警告音が報知される。
【００１９】
本発明に係る医療用診療装置は、上記操作パネルを備える。
【図面の簡単な説明】
【００２０】
【図１】医療用診療装置の外観の構成を示す概略図である。
【図２】医療用診療装置の内部の構成を概略的に示すブロック図である。
【図３】操作パネルに表れる位置表示を説明するための図である。
【図４】操作パネルの内部の構成を説明するための図である。
【図５】各スイッチに対応する位置表示の視認性変更について説明するための表である。
【図６】チェアオート機能を発揮させるスイッチを押圧操作したときの位置表示の態様を説明するための図である。
【図７】チェアマニュアル機能を発揮させるスイッチを押圧操作したときの位置表示の態様を説明するための図である。
【図８】診療器具を選択したときの位置表示の態様を説明するための図である。
【発明を実施するための形態】
【００２１】
本発明に係る実施の形態について、図面を参照しながら説明する。
本実施の形態においては、本発明に係る操作パネルの１つの例示的形態として、歯科診療に用いることが可能な医療用診療装置が備える操作パネルについて説明する。なお、本発明に係る操作パネルを備える医療用診療装置は、歯科に限らず、眼科、耳鼻咽喉科、放射線科、および獣医科など、あらゆる医科の診療にも適用することが可能である。また、診療には、診断および治療が含まれる。
【００２２】
[医療用診療装置１０の基本構成]
図１は、医療用診療装置１０の外観の構成を示す概略図であり、図２は、医療用診療装置１０の内部の構成を概略的に示すブロック図である。
【００２３】
図１に示すように、医療用診療装置１０は、診療椅子１と、フートコントローラ５と、トレーテーブル３と、制御装置９と、インスツルメントホルダ３０と、スピーカ２０と、モニタ６と、ベースンユニット２と、照明装置７とを備える。
【００２４】
また、図２に示すように、医療用診療装置１０は、機能を発揮する機能部として、操作部１２と、シート駆動部１１と、パネル制御部１３と、診療器具駆動部１４と、モニタ制御部１５と、ベースン制御部１６と、照明制御部１７とを備える。これら各機能部は、後述する操作パネル８における操作者の押圧操作に基づき機能を発揮する機能部としての役割を有する。なお、これら各機能部は、基板上に実装されたＣＰＵ（Central Processing Unit）およびメモリ（ＲＯＭ（Read Only Memory）やＲＡＭ（Random Access Memory）（図示は省略）などを備えたコンピュータによって構成される。
【００２５】
診療椅子１は、医師から診療を受ける際に患者が座る椅子であり、患者の頭を支えるヘッドレスト１ａと、患者の背中を支える背もたれ１ｂと、患者の尾尻を支える座面シート１ｃと、患者の足を支える足置き台１ｄとを備えている。ヘッドレスト１ａ、背もたれ１ｂ、座面シート１ｃ、および足置き台１ｄは、シート駆動部１１に接続されている。シート駆動部１１は、ヘッドレスト１ａ、背もたれ１ｂ、座面シート１ｃ、および足置き台１ｄを駆動する。
【００２６】
たとえば、シート駆動部１１の制御に基づき、座面シート１ｃを上昇させることができ（診療椅子１を上昇させるともいう）、これにより診療椅子１に座った患者を上昇させることができる。一方、シート駆動部１１の制御に基づき、座面シート１ｃを下降させることもでき（診療椅子１を下降させるともいう）、これにより診療椅子１に座った患者を下降させることができる。また、シート駆動部１１の制御に基づき、ヘッドレスト１ａ、背もたれ１ｂ、および足置き台１ｄを、座面シート１ｃに対して垂直方向に移動させることができ（診療椅子１を起立させるともいう）、これにより診療椅子１に座った患者を座位姿勢にさせることができる。一方、シート駆動部１１の制御に基づき、ヘッドレスト１ａ、背もたれ１ｂ、および足置き台１ｄを、座面シート１ｃに対して水平方向に移動させることもでき（診療椅子１を傾斜させるともいう）、これにより診療椅子１に座った患者を仰向け姿勢にさせることができる。
【００２７】
このように、シート駆動部１１は、ヘッドレスト１ａ、背もたれ１ｂ、座面シート１ｃ、および足置き台１ｄを駆動することによって、診療椅子１を上昇、下降、起立、および傾斜させる機能を有する。
【００２８】
また、シート駆動部１１は、挟み込み検知部１９を備えている。挟み込み検知部１９は、診療椅子１に接続されており、診療椅子１の駆動によって患者の衣服やコードなどの挟み込みを検知するとともに、挟み込みを検知した場合には診療椅子１の駆動を禁止する。
【００２９】
フートコントローラ５は、医師などの足踏操作によって、診療椅子１を駆動させるための操作を受け付けるとともに、後述する診療器具４を駆動させるための操作を受け付ける。
【００３０】
たとえば、フートコントローラ５に設けられた診療椅子駆動用のスイッチを足踏操作することにより、フートコントローラ５が備える操作部１２からシート駆動部１１に対して制御信号が出力され、シート駆動部１１の制御によって診療椅子１が駆動する。また、フートコントローラ５に設けられた診療器具駆動用のスイッチを足踏操作することにより、操作部１２から診療器具駆動部１４に対して制御信号が出力され、診療器具駆動部１４の制御によって診療器具４が駆動する。
【００３１】
このように、操作部１２は、診療椅子１および診療器具４を駆動させるための操作を受け付ける機能を有する。
【００３２】
トレーテーブル３は、診療時の物置台として用いられる。トレーテーブル３は、診療椅子１または床から延びるアーム（図示は省略）に接続されており、診療椅子１に対して手動で回動、水平移動、および垂直移動することができる。
【００３３】
トレーテーブル３の底面には、制御装置９が設けられている。制御装置９には、複数の診療器具４と、操作パネル８と、インスツルメントホルダ３０と、スピーカ２０と、モニタ６とが接続されている。制御装置９は、これら各構成を駆動させるための制御部である。
【００３４】
診療器具４は、たとえば、エアータ−ビンハンドピース（ハイスピードハンドピース）、マイクロモータハンドピース（ロースピードハンドピース）、スケーラ、スリーウェイシリンジ、バキュームシリンジなど、診療に用いるインスツルメントである。なお、診療器具４は、これらに限らず、口腔内カメラ、光重合用照射器、根管長測定器、および根管拡大器などであってもよいし、鏡や注射器など、駆動しない器具であってもよい。
【００３５】
本実施の形態においては、診療器具４ａ〜４ｅの５種類が用いられる。診療器具４ａおよび診療器具４ｂとしては、ハイスピードハンドピース（ＨＳ（ＨＳ１、ＨＳ２）ともいう）が用いられ、診療器具４ｃおよび診療器具４ｄとしては、ロースピードハンドピース（ＬＳ（ＬＳ１、ＬＳ２）ともいう）が用いられ、診療器具４ｅとしては、スケーラ（ＳＣともいう）が用いられる。これら診療器具４は、インスツルメントホルダ３０によって保持される。インスツルメントホルダ３０から使用する診療器具４を取り出すと、インスツルメントホルダ３０による保持が解除される。インスツルメントホルダ３０によって、診療器具４の保持が解除されると、診療器具４が被選択状態となる。
【００３６】
各診療器具４は、制御装置９が備える診療器具駆動部１４に接続されている。診療器具駆動部１４は、操作部１２によって受け付けられた操作者の操作に基づき各診療器具４を駆動する。たとえば、診療器具駆動部１４の制御に基づき、ＨＳ１やＨＳ２のヘッド部に保持される切削工具が回転し、歯科治療に用いることができる。
【００３７】
このように、診療器具駆動部１４は、操作者の操作に基づき診療器具４を駆動する機能を有する。
【００３８】
操作パネル８は、各機能を発揮させるために押圧操作される各スイッチを特定可能な表示（位置表示）を表す。操作パネル８に表れた位置表示に対して医師などの操作者が押圧操作すると、スイッチを押圧操作することができる。
【００３９】
操作パネル８は、制御装置９が備えるパネル制御部１３に接続されている。パネル制御部１３は、機能を発揮できる機能部に対応する位置表示のみを表すとともに、表した位置表示に対応するスイッチの押圧操作を検出すると、押圧操作されたスイッチに対応する機能部に対して、機能を発揮させるための制御信号を出力する。
【００４０】
このように、パネル制御部１３は、機能を発揮できるか否かに応じて操作パネル８上の位置表示を表すとともに、押圧操作されたスイッチに対応する機能を機能部に発揮させる機能を有する。
【００４１】
インスツルメントホルダ３０は、診療器具４を保持する保持部材であり、制御装置９が備える保持解除特定部１８に接続されている。保持解除特定部１８は、インスツルメントホルダ３０によって保持されている診療器具４と、保持が解除されている診療器具４とを判定するとともに、その判定結果を特定可能な制御信号をパネル制御部１３に出力する。
【００４２】
スピーカ２０は、所定の音声を出力する。スピーカ２０は、制御装置９が備える警告音出力部１９に接続されている。警告音出力部１９は、パネル制御部１３からの制御信号に基づき、スピーカ２０を駆動して警告音を出力させる。本実施の形態においては、押圧操作しても機能を発揮できないスイッチが押圧操作された場合に、警告音出力部１９の制御に基づき、スピーカ２０から警告音が出力される。
【００４３】
モニタ６は、液晶ディスプレイなどで構成され、制御装置９が備えるモニタ制御部１５の制御に基づき、所定の画像を表示する。たとえば、モニタ制御部１５の制御に基づき、インスツルメントホルダ３０から取り出されて使用されている診療器具４や、操作パネル８のスイッチが押圧操作されて被選択状態とされている診療器具４の駆動情報を示す画像、根管内での切削工具の先端の位置を示す画像、および口腔内カメラによって撮影された口腔内の画像などを、モニタ６に表示することができる。
【００４４】
このように、モニタ制御部１５は、モニタ６の画面上に所定の画像を表示させる機能を有する。
【００４５】
ベースンユニット２は、診療椅子１の側部に備え付けられており、排水口が形成された鉢２ａと、コップが載置されるコップ台２ｂと、コップに給水するための給水栓２ｃとを備える。ベースンユニット２は、給水栓２ｃからコップに給水された水を用いて患者がうがいをするための台である。また、ベースンユニット２は、ベースン制御部１６を備えており、ベースン制御部１６の制御に基づき医療用診療装置１０で用いられる水の流れを制御する。
【００４６】
このように、ベースン制御部１６は、医療用診療装置１０で用いられる水の流れを制御する機能を有する。
【００４７】
さらに、ベースンユニット２は、照明制御部１７を備えており、照明制御部１７の制御に基づき照明装置７の照明および消灯を制御する。
【００４８】
このように、照明制御部１７は、照明装置７の照明および消灯を制御する機能（照明制御機能ともいう）を有する。
【００４９】
なお、医療用診療装置１０は、図１に示す構成以外の構成、および図２に示す機能部以外の機能部を備えていてもよい。
【００５０】
[操作パネルの構成]
図３および図４を参照しながら、操作パネル８の構成を説明する。図３は、操作パネル８に表れる位置表示を説明するための図である。図４は、操作パネル８の内部の構造を説明するための図である。
【００５１】
まず、操作パネル８には、操作する機能部に対応して各種スイッチが予め設けられている。操作パネル８上においては、各スイッチが設けられている位置に対応して、スイッチの種類を表す記号が表れる。この表れた記号が位置表示となる。操作者は、操作パネル８上に表れた記号（位置表示）を押圧することで、対応するスイッチを押圧操作することができる。なお、操作パネル８に設けられた各スイッチは、図４に示すように物理的に押圧可能なスイッチであり、画面上に表示されるような仮想的なスイッチではない。そのため、操作者は、操作パネル８上に表れた記号（位置表示）を押圧することで、対応するスイッチを押した感覚（クリック感ともいえる）を得ることができる。もちろん、操作パネル８に設けるスイッチは、物理的に押圧可能なスイッチであれば、クリック感が得られないようなスイッチであってもよい。
【００５２】
操作パネル８には、押圧可能な機能部に対応して各種スイッチが予め設けられているが、図３に示すように操作パネル８上に全てのスイッチの記号が常に視認できるように表れている訳ではない。操作パネル８上では、現時点で発揮可能な機能部に対応したスイッチに対応する記号のみが表れるようになっている。そして、操作パネル８は、板状の形状であり、かつ電源が投入されていなければ記号が消えており、どの位置にスイッチが設けられているのかを操作者が視認できない外観をしている。したがって、操作パネル８上にスイッチの記号が表れていなければ、電源が投入されていないときと同様に、どの位置にスイッチが存在しているかを操作者が認識できず、誤ってスイッチを押圧操作してしまうことがない。
【００５３】
より具体的に、図３を参照しながら、操作パネル８に表れるスイッチの位置を特定するための位置表示（スイッチの記号）について説明する。なお、図３は、操作パネル８の平面図であり、全ての位置表示が操作パネル８に表れた状態を示している。
【００５４】
図３に示すように、操作パネル８においては、各機能部による機能を発揮させるために押圧操作されるスイッチに対応する位置に機能を表す記号が予め設けられている。この記号に対して後述するＬＥＤ５０から光を照射することによって、操作パネル８上に記号が表れる。
【００５５】
記号８ａ、記号８ｂ、記号８ｃ、および記号８ｄは、診療椅子１を１回の押圧操作で所定位置に移動する機能（チェアオート機能ともいう）を表している。なお、チェアオート機能は、シート駆動部１１が発揮する機能の一種でもある。
【００５６】
チェアオート機能を発揮するスイッチとしては、１回の押圧操作で奥歯診療に最適な高さや傾斜角度となる位置（オートポジション１ともいう）に診療椅子１を自動的に移動させる「オート１スイッチ」と、１回の押圧操作で前歯診療に最適な高さや傾斜角度となる位置（オートポジション２ともいう）に診療椅子１を自動的に移動させる「オート２スイッチ」と、１回の押圧操作で患者の導入または導出に最適な高さや傾斜角度となる位置（オートポジションＲともいう）に診療椅子１を自動的に移動させる「オートＲスイッチ」と、１回の押圧操作で患者がうがいを行うのに最適な高さや傾斜角度となる位置（オートポジションＳともいう）に診療椅子１を自動的に移動させる「オートＳスイッチ」とが設けられている。
【００５７】
これらチェアオート機能を発揮するためのスイッチは、後述する基板７０上に配列されている。記号８ａは、オート１スイッチの位置に対応し、記号８ｂは、オート２スイッチの位置に対応し、記号８ｃは、オートＲスイッチの位置に対応し、記号８ｄは、オートＳスイッチの位置に対応している。たとえば、操作者は、記号８ａを押圧操作することによってオート１スイッチを押圧操作することができる。
【００５８】
なお、オート１スイッチ、オート２スイッチ、またはオートＳスイッチの押圧操作によって診療椅子１を自動的に移動させる位置は、操作者によって任意に設定可能である。
【００５９】
記号８ｅ、記号８ｆ、記号８ｇ、および記号８ｈは、診療椅子１の位置および姿勢の少なくともいずれかを連続的に変更する機能（チェアマニュアル機能ともいう）を表している。なお、チェアマニュアル機能は、シート駆動部１１が発揮する機能の一種でもある。
【００６０】
チェアマニュアル機能を発揮するスイッチとしては、押圧操作される時間（押圧の継続時間）に応じて診療椅子１を連続的に起立させる「起立スイッチ」と、押圧操作される時間（押圧の継続時間）に応じて診療椅子１を連続的に傾斜させる「傾斜スイッチ」と、押圧操作される時間（押圧の継続時間）に応じて診療椅子１を連続的に上昇させる「上昇スイッチ」と、押圧操作される時間（押圧の継続時間）に応じて診療椅子１を連続的に下降させる「下降スイッチ」とが設けられている。なお、チェアマニュアル機能は、診療椅子１の位置および姿勢の少なくともいずれかを段階的に移動させる機能であってもよい。この場合、チェアマニュアル機能を発揮するスイッチは、押圧操作される回数に応じて診療椅子１の位置および姿勢の少なくともいずれかを段階的に移動させることになる。このように、チェアマニュアル機能を発揮するスイッチは、押圧操作される時間または回数に応じてチェアマニュアル機能を連続的または段階的に発揮させることができるスイッチである。
【００６１】
これらチェアマニュアル機能を発揮するためのスイッチは、基板７０上に配列されている。記号８ｅは、起立スイッチの位置に対応し、記号８ｆは、傾斜スイッチの位置に対応し、記号８ｇは、上昇スイッチの位置に対応し、記号８ｈは、下降スイッチの位置に対応している。
【００６２】
記号８ｉは、診療椅子１の移動速度を設定する機能を表している。記号８ｉは、基板７０上に配列された「チェア速度スイッチ」の位置に対応している。操作者がチェア速度スイッチを長押しすると、診療椅子１の移動速度が通常速度と低速度との間で切り替えられる。
【００６３】
また、記号８ｉの上方にはドット記号８０ｉが付されている。ドット記号８０ｉは、診療椅子１の移動速度の設定状態を示している。
【００６４】
記号８ｊは、照明装置７による照明と消灯とを切り替える機能を表している。記号８ｊは、基板７０上に配列された「照明スイッチ」の位置に対応している。操作者が照明スイッチを押圧操作する毎に照明装置７が照明と消灯とで切り替えられる。
【００６５】
記号８ｋおよび記号８ｍは、ハイスピードハンドピース（ＨＳ）の装備状態を示すとともに装備されたＨＳ（ＨＳ１、ＨＳ２）を選択する機能を表している。記号８ｋは、ＨＳ１に関する位置表示を表すための記号であり、基板７０上に配列された「ＨＳ１スイッチ」の位置に対応している。記号８ｍは、ＨＳ２に関する位置表示を表すための記号であり、基板７０上に配列された「ＨＳ２スイッチ」の位置に対応している。
【００６６】
操作者がＨＳ１スイッチを押圧操作するか、あるいはインスツルメントホルダ３０からＨＳ１を取り出すことによってＨＳ１の保持が解除されると、ＨＳ１が選択されて被選択状態となる。また、操作者がＨＳ２スイッチを押圧操作するか、あるいはインスツルメントホルダ３０からＨＳ２を取り出すことによってＨＳ２の保持が解除されると、ＨＳ２が選択されて被選択状態となる。
【００６７】
また、記号８ｋおよび記号８ｍの上方にはドット記号８０ｋおよびドット記号８０ｍが各々付されている。ドット記号８０ｋは、ＨＳ１の被選択状態や駆動状態を示し、ドット記号８０ｍは、ＨＳ２の被選択状態や駆動状態を示している。
【００６８】
記号８ｎおよび記号８ｐは、ロースピードハンドピース（ＬＳ）の装備状態を示すとともに装備されたＬＳ（ＬＳ１、ＬＳ２）を選択する機能を表している。記号８ｎは、ＬＳ１に関する位置表示を表すための記号であり、基板７０上に配列された「ＬＳ１スイッチ」の位置に対応している。記号８ｐは、ＬＳ２に関する位置表示を表すための記号であり、基板７０上に配列された「ＬＳ２スイッチ」の位置に対応している。
【００６９】
操作者がＬＳ１スイッチを押圧操作するか、あるいはインスツルメントホルダ３０からＬＳ１を取り出すことによってＬＳ１の保持が解除されると、ＬＳ１が選択されて被選択状態となる。また、操作者がＬＳ２スイッチを押圧操作するか、あるいはインスツルメントホルダ３０からＬＳ２を取り出すことによってＬＳ２の保持が解除されると、ＬＳ２が選択されて被選択状態となる。
【００７０】
また、記号８ｎおよび記号８ｐの上方にはドット記号８０ｎおよびドット記号８０ｐが各々付されている。ドット記号８０ｎは、ＬＳ１の被選択状態や駆動状態を示し、ドット記号８０ｐは、ＬＳ２の被選択状態や駆動状態を示している。
【００７１】
記号８ｑは、スケーラ（ＳＣ）の装備状態を示すとともに装備されたＳＣを選択する機能を表している。記号８ｑは、基板７０上に配列された「ＳＣスイッチ」の位置に対応している。操作者がＳＣスイッチを押圧操作するか、あるいはインスツルメントホルダ３０からＳＣを取り出すことによってＳＣの保持が解除されると、ＳＣが選択されて被選択状態となる。
【００７２】
また、記号８ｑの上方にはドット記号８０ｑが付されている。ドット記号８０ｑは、ＳＣの被選択状態や駆動状態を示している。
【００７３】
記号８ｒは、診療器具４の先端部に設けられ、先端部周辺に光を出射するＨＰライトによる点灯と消灯とを切り替える機能を表している。このようなＨＰライトから出射される光は、たとえば、患部を照明するために用いられる診療用媒体となる。記号８ｒは、基板７０上に配列された「ＨＰライトスイッチ」の位置に対応している。操作者がＨＰライトスイッチを押圧操作する毎にＬＥＤライトが明るい点灯（明点灯）、暗い点灯（暗点灯）、および消灯の間で切り替えられる。
【００７４】
また、記号８ｒの上方にはドット記号８１ｒおよびドット記号８２ｒが付されている。ドット記号８１ｒおよびドット記号８２ｒは、ＨＰライトの点灯状態を示している。
【００７５】
記号８ｓは、診療器具４の先端部に設けられ、先端部周辺に水を出射するＨＰ注水部による注水のオンとオフとを切り替える機能を表している。このようなＨＰ注水部から出射される水は、たとえば、患部を冷却するために用いられる診療用媒体となる。なお、患部を冷却するために用いられる診療用媒体は、水に限らず、エアであってもよい。記号８ｓは、基板７０上に配列された「ＨＰ注水スイッチ」の位置に対応している。操作者がＨＰ注水スイッチを押圧操作する毎にＨＰ注水部による注水がオンとオフとで切り替えられる。
【００７６】
また、記号８ｓの上方にはドット記号８０ｓが付されている。ドット記号８０ｓは、ＨＰ注水部による注水状態を示している。
【００７７】
記号８ｔは、ＬＳの回転数の設定範囲やＳＣの駆動力の設定範囲を切り替える機能を表している。記号８ｔは、基板７０上に配列された「レンジ切替スイッチ」の位置に対応している。操作者がレンジ切替スイッチを押圧操作する毎にＬＳの回転数の設定範囲やＳＣの駆動力の設定範囲が切り替えられる。
【００７８】
なお、レンジ切替スイッチの押圧操作によって切り替えられた設定範囲は、記号８４によって示される。たとえば、ＬＳが選択されているときには、回転数の設定範囲が狭い順に、「Ｕ」（Under）、「Ｌ」（Low）、「Ｍ」（Middle）、「Ｈ」（High）の文字が記号８４によって示される。また、ＳＣが選択されているときには、駆動力の設定範囲が狭い順に、「Ｐ」（Perio）、「Ｅ」（Endo）、「Ｓ」（Scaling）、「Ｂ」（Boost）の文字が記号８４によって示される。さらに、記号８５には、レンジ切替スイッチの押圧操作によって切り替えられた設定範囲に応じたＬＳの最大回転数やＳＣの最大駆動力が示される。なお、操作者は、記号８７に対応する「マイナススイッチ」を押圧操作すれば、ＬＳの回転数やＳＣの駆動力を低く設定することができ、また、記号８８に対応する「プラススイッチ」を押圧操作すれば、ＬＳの回転数やＳＣの駆動力を高く設定することもできる。
【００７９】
記号８ｕは、ＨＳやＬＳの回転速度のモードを一定速モード（先端の切削工具が予め決められた一定の速度で回転するモード）と可変速モード（先端の切削工具がたとえば操作者によってフートコントローラ５の踏み込み量に応じた速度で回転するモード）とで切り替える機能を表している。記号８ｕは、基板７０上に配列された「一定速／可変速切替スイッチ」の位置に対応している。操作者が一定速／可変速切替スイッチを押圧操作する毎にＨＳやＬＳの回転速度のモードが一定速モードと可変速モードとで切り替えられる。
【００８０】
また、記号８ｕの上方にはドット記号８１ｕおよびドット記号８２ｕが付されている。ドット記号８１ｕおよびドット記号８２ｕは、回転速度のモード状態を示している。
【００８１】
記号８ｖは、ＬＳの回転方向のモードを正転モード（先端の切削工具が時計回りに回転するモード）と逆転モード（先端の切削工具が反時計回りに回転するモード）とで切り替える機能を表している。記号８ｖは、基板７０上に配列された「回転方向切替スイッチ」の位置に対応している。操作者が回転方向切替スイッチを押圧操作する毎にＬＳの回転方向のモードが正転モードと逆転モードとで切り替えられる。
【００８２】
また、記号８ｖの上方にはドット記号８１ｖおよびドット記号８２ｖが付されている。ドット記号８１ｖおよびドット記号８２ｖは、回転方向のモード状態を示している。
【００８３】
記号８３は、ＨＳ１スイッチ、ＨＳ２スイッチ、ＬＳ１スイッチ、ＬＳ２スイッチ、ＳＣスイッチ、ＨＰライトスイッチ、ＨＰ注水スイッチ、レンジ切替スイッチ、一定速／可変速切替スイッチ、および回転方向切替スイッチなどが押圧操作されたことを示している。記号８３は、各記号に対応して予め設けられ、記号が押圧操作されたときに、押圧操作された記号を指すように表れる。なお、図３においては、記号８ｍを指す記号８３のみを示している。
【００８４】
記号８６は、上述した各種スイッチによる設定以外の設定をするための他のスイッチに対応している。なお、本実施の形態においては、記号８６に対応する他のスイッチは設けられていない。
【００８５】
次に、図４を参照しながら、操作パネル８の内部の構造について説明する。なお、図４は、複数のスイッチのうち、特定のスイッチ９０に対応する位置表示１００における操作パネル８の断面を示しており、その他の位置表示に対応する操作パネル８の断面も同様である。
【００８６】
位置表示１００に対応する操作パネル８は、基板７０と、基板７０の上面に配列された１個のスイッチ９０と、スイッチ９０の周辺に設けられた複数のＬＥＤ５０と、スイッチ９０の上面を覆うパネル６０とから構成されている。
【００８７】
スイッチ９０は、基板７０の上面にパターン印刷された銅箔９１と、銅箔９１によって囲まれるように基板７０の上面にパターン印刷された銅箔および金からなる合金９２と、銅箔９１の上面に塗られた保護膜９３と、保護膜９３の上面にパターン印刷された銀カーボン９４と、銀カーボン９４の上面に設けられた金属バネ９５と、金属バネ９５の周辺に設けられた光拡散素材の樹脂成型品からなる固定部材９６と、金属バネ９５の上側に設けられるとともに固定部材９６に対して上下方向に移動可能な光拡散素材の樹脂成型品からなる移動部材９７とから構成されている。
【００８８】
パネル６０には、光拡散素材のインクによって機能部が発揮する機能を表す記号がシルク印刷されている。ＬＥＤ５０が点灯しているときには、光拡散素材の固定部材９６および移動部材９７によって照射された光が拡散し、さらに、機能を表す記号に光が照射される。これにより、操作パネル８に位置表示１００（記号）が表れ、操作者によって位置表示１００が視認可能となる。
【００８９】
操作者によって位置表示１００に対応する記号が押圧操作されると、位置表示１００に対応する箇所のパネル６０が下方向にたわみ、パネル６０によって押された移動部材９７が下方向に移動する。さらに、下方向に移動した移動部材９７によって金属バネ９５が縮み、金属バネ９５の弾性力によって銀カーボン９４が下方向にたわみ、やがて銀カーボン９４と合金９２とが接触して導通する。
【００９０】
このようにして、パネル制御部１３によってスイッチに対する押圧操作が検出されると、シート駆動部１１や診療器具駆動部１４といった複数の機能部のうち、押圧操作されたスイッチに対応する機能部に対して、機能を発揮させるための制御信号が出力される。その結果、制御信号を受信した機能部によって機能が発揮される。
【００９１】
また、パネル制御部１３は、各機能部から受信した制御信号に基づき、機能部が機能を発揮できるか否かを判定し、機能を発揮できる機能部に対応するスイッチの周辺に設けられたＬＥＤ５０のみを点灯する。これにより、各機能を発揮させるために押圧可能なスイッチに対応する位置表示のみを表すことができる。
【００９２】
ここで、仮に、機能部によって機能が発揮できるか否かに関わらず、常に各スイッチに対応する位置表示が操作パネル８に表れる場合、操作者は、機能を発揮できないスイッチについても、押圧操作できるのではないか、さらには、スイッチを押圧操作することによって機能を発揮できるのではないかと錯覚してしまう。
【００９３】
たとえば、診療椅子１の上昇が限界であるにも関わらず、上昇スイッチに対応する位置表示が操作パネル８に表れてしまうと、操作者は診療椅子１をまだ上昇できるかのように錯覚してしまう。その結果、操作者は、上昇スイッチを押圧操作するように促されてしまう。あるいは、診療椅子１の傾斜によって患者の衣服やコードなどを挟み込んでしまい、診療椅子１の駆動が禁止されているにも関わらず、傾斜スイッチに対応する位置表示が操作パネル８に表れてしまうと、操作者は診療椅子１がまだ傾斜できるかのように錯覚してしまい、それ以上傾斜すれば危険な状況であるにも関わらず、傾斜スイッチを押圧操作するように促されてしまう。
【００９４】
また、本実施の形態においては、機能が発揮できない上昇スイッチが押圧操作されることによって、スピーカ２０から警告音が出力されるようになっている。しかし、診療器具４のモータ音、話し声や子供の泣き声などによって院内は非常に騒がしいこともあって、操作者が警告音に気づかない虞がある。また、複数の警告音が出力された場合は、どのスイッチが機能を発揮できないのかを操作者が特定できない虞もある。
【００９５】
そこで、本実施の形態における医療用診療装置１０は、操作パネル８が備える各スイッチの周辺に設けられた複数のＬＥＤ５０をパネル制御部１３によって制御することにより、スイッチの押圧操作によって機能部による機能を発揮できないときと、スイッチの押圧操作によって機能部による機能を発揮できるときとで、スイッチに対応する位置表示の視認性を異ならせる。
【００９６】
より具体的には、医療用診療装置１０は、操作パネル８が備える各スイッチの周辺に設けられた複数のＬＥＤ５０をパネル制御部１３のＬＥＤ制御機能によって制御することにより、スイッチの押圧操作によって機能部による機能を発揮できないときにはＬＥＤ５０を停止して機能を表す記号に対する光の照射を停止する。これにより、スイッチの押圧操作によって機能部による機能を発揮できないときには、スイッチの押圧操作によって機能部による機能を発揮できるときよりも、操作者に認識されない程度にスイッチに対応する位置表示の視認性を低下させる。
【００９７】
このように、押圧操作によって機能を発揮できないスイッチを、操作者の視覚から消す、あるいは非常に見え辛くすることによって、機能を発揮できないスイッチの押圧操作を操作者に促さないようになっている。なお、「機能を発揮できない」とは、スイッチの押圧操作を特定可能な制御信号が機能部に出力されないこと、スイッチの押圧操作を特定可能な制御信号が機能部に出力されるが制御信号に基づいて機能部が機能を発揮しないことのいずれか、あるいは両方を意味する。
【００９８】
以下、操作パネル８が備えるＬＥＤ５０による位置表示の視認性変更について、より具体的に説明する。
【００９９】
[位置表示の視認性変更]
図５は、各スイッチに対応する位置表示の視認性変更について説明するための表である。なお、説明の便宜上、図５においては、位置表示の視認性変更が関係するスイッチ間についてのみの位置表示の態様を示している。その他の空白部分は、そのときの機能が発揮できるか否かに応じた位置表示の態様を当てはめることができる。また、以下の説明において、記号（ドット記号を含む）の「点灯」は、スイッチの周辺に設けられたＬＥＤ５０が点灯すること、記号の「点滅」は、スイッチの周辺に設けられたＬＥＤ５０が点灯と消灯とで所定間隔で切り替えられること、記号の「消灯」は、スイッチの周辺に設けられたＬＥＤ５０が消灯することによって実現される。
【０１００】
[チェアオート機能に関するスイッチ]
図５に示すように、オート１スイッチの押圧操作で診療椅子１がオートポジション１に移動中のときには、オート１スイッチに対応する記号８ａが点滅し、オート２スイッチに対応する記号８ｂ、オートＲスイッチに対応する記号８ｃ、およびオートＳスイッチに対応する記号８ｄが点灯する。
【０１０１】
診療椅子１がオートポジション１に移動完了したときには、オート１スイッチを押圧操作してもそれ以上診療椅子１を移動させられないため、記号８ａが消灯する。一方、その他のスイッチは、押圧操作することでチェアオート機能を発揮できるため、その他の記号は点灯する。
【０１０２】
オート２スイッチの押圧操作で診療椅子１がオートポジション２に移動中のときには、オート２スイッチに対応する記号８ｂが点滅し、オート１スイッチに対応する記号８ａ、オートＲスイッチに対応する記号８ｃ、およびオートＳスイッチに対応する記号８ｄが点灯する。
【０１０３】
診療椅子１がオートポジション２に移動完了したときには、オート２スイッチを押圧操作してもそれ以上診療椅子１を移動させられないため、記号８ｂが消灯する。一方、その他のスイッチは、押圧操作することでチェアオート機能を発揮できるため、その他の記号は点灯する。
【０１０４】
オートＲスイッチの押圧操作で診療椅子１がオートポジションＲに移動中のときには、オートＲスイッチに対応する記号８ｃが点滅し、オート１スイッチに対応する記号８ａ、オート２スイッチに対応する記号８ｂ、およびオートＳスイッチに対応する記号８ｄが点灯する。
【０１０５】
診療椅子１がオートポジションＲに移動完了したときには、オートＲスイッチを押圧操作してもそれ以上診療椅子１を移動させられないため、記号８ｃが消灯する。一方、その他のスイッチは、押圧操作することでチェアオート機能を発揮できるため、その他の記号は点灯する。
【０１０６】
オートＳスイッチの押圧操作で診療椅子１がオートポジションＳに移動中のときには、オートＳスイッチに対応する記号８ｄが点滅し、オート１スイッチに対応する記号８ａ、オート２スイッチに対応する記号８ｂ、およびオートＲスイッチに対応する記号８ｃが点灯する。
【０１０７】
診療椅子１がオートポジションＳに移動完了したときには、オートＳスイッチを押圧操作してもそれ以上診療椅子１を移動させられないため、記号８ｄが消灯する。一方、その他のスイッチは、押圧操作することでチェアオート機能を発揮できるため、その他の記号は点灯する。
【０１０８】
たとえば、図６は、チェアオート機能を発揮させるスイッチを押圧操作したときの位置表示の態様を説明するための図である。
【０１０９】
図６（ａ）に示すように、押圧操作前であって、かつ診療椅子１がいずれのオートポジションにも位置していない状態においては、チェアオート機能を発揮させるスイッチのうち、いずれのスイッチも押圧操作されておらず、全てのスイッチに対応する記号が点灯して位置表示が表れている。図６（ｂ）に示すように、その後、オート１スイッチが押圧操作されると診療椅子１がオートポジション１に移動し始める。図６（ｃ）に示すように、診療椅子１がオートポジション１に移動中のときには、記号８ａのみが点滅する。
【０１１０】
図６（ｄ）に示すように、診療椅子１がオートポジション１に移動完了したときには、記号８ａのみに対するＬＥＤ５０からの光の照射が停止されるため、記号８ａのみがパネルの色（つまり、背景色）と同系色となり、操作者の視界から位置表示が消える。なお、図６においては、説明の便宜上、ＬＥＤ５０からの光の照射が停止された記号を破線で表しているが、実際は消えている（あるいは、限りなく背景色と同じ色になる）。後述する図７および図８においても同様に、ＬＥＤ５０からの光の照射が停止された記号を破線で表す。
【０１１１】
図６（ｅ）に示すように、その後、オートＳスイッチが押圧操作されて診療椅子１がオートポジションＳに移動中のときには、記号８ｄのみが点滅する。図６（ｆ）に示すように、診療椅子１がオートポジションＳに移動完了したときには、記号８ｄのみに対するＬＥＤ５０からの光の照射が停止されるため、記号８ｄのみがパネルの色（つまり、背景色）と同系色となり、操作者の視界から位置表示が消える。
【０１１２】
このように、チェアオート機能のうち、すでに診療装置１０を移動完了させた機能に対応する記号は、ＬＥＤ５０からの光の照射が停止される。その結果、すでに診療装置１０を移動完了させた機能に対応する位置表示は、未だ診療装置１０を移動完了させていない機能に対応する位置表示よりも視認性が低下するため、操作者によって視認が不可能あるいは困難となる。
【０１１３】
また、チェアオート機能は、オート１スイッチなどのスイッチの押圧操作以外にも、フートコントローラ５の足踏操作によっても発揮できる。このため、フートコントローラ５の足踏操作によってすでに診療装置１０を移動完了させた場合にも、すでに診療装置１０を移動完了させた機能に対応する位置表示は、未だ診療装置１０を移動完了させていない機能に対応する位置表示よりも視認性が低下するため、操作者によって視認が不可能あるいは困難となる。
【０１１４】
また、挟み込み検知部１９によってコードなどの挟み込みが検知されている場合、診療椅子１の駆動が禁止されるため、挟み込みの検知が解除されるまで、診療装置１０の移動に関する全てのスイッチに対応する記号は、ＬＥＤ５０からの光の照射が停止される。その結果、診療装置１０の移動に関する全てのスイッチに対応する位置表示は、その他のスイッチに対応する位置表示よりも視認性が低下するため、操作者によって視認が不可能あるいは困難となる。
【０１１５】
これにより、チェアオート機能を発揮できないにも関わらず操作者にチェアオート機能に関するスイッチを誤って押圧操作させてしまうことを防止することができる。
【０１１６】
さらに、機能を発揮中のスイッチに対応する記号のみが点滅するため、操作者は現在機能を発揮しているチェアオート機能の種類を容易に特定することができる。
【０１１７】
[チェアマニュアル機能に関するスイッチ]
図５に示すように、起立スイッチの押圧操作で診療椅子１の起立が限界であるときには、起立スイッチを押圧操作してもそれ以上診療椅子１を起立させられないため、起立スイッチに対応する記号８ｅが消灯する。一方、傾斜スイッチを押圧操作すれば診療椅子１を傾斜させられるため、傾斜スイッチに対応する記号８ｆは点灯する。
【０１１８】
傾斜スイッチの押圧操作で診療椅子１の傾斜が限界であるときには、傾斜スイッチを押圧操作してもそれ以上診療椅子１を傾斜させられないため、記号８ｆが消灯する。一方、起立スイッチを押圧操作すれば診療椅子１を起立させられるため、記号８ｅは点灯する。
【０１１９】
たとえば、図７は、チェアマニュアル機能を発揮させるスイッチを押圧操作したときの位置表示の態様を説明するための図である。
【０１２０】
図７（ａ）に示すように、押圧操作前であって、かつ診療椅子１が起立、傾斜、上昇、および下降のいずれの限界位置にも位置していない状態においては、チェアマニュアル機能を発揮させるスイッチのうち、いずれのスイッチも押圧操作されておらず、全てのスイッチに対応する記号が点灯して位置表示が表れている。図７（ｂ）に示すように、その後、起立スイッチが押圧操作されると、押圧操作される時間または回数に応じて診療椅子１が連続的または段階的に起立し始める。図７（ｃ）に示すように、診療椅子１の起立が限界になると、記号８ｅのみに対するＬＥＤ５０からの光の照射が停止されるため、記号８ｅのみがパネルの色（つまり、背景色）と同系色となり、操作者の視界から位置表示が消える。
【０１２１】
図７（ｄ）に示すように、その後、傾斜スイッチが押圧操作されると、押圧操作される時間または回数に応じて診療椅子１が連続的または段階的に傾斜し始める。さらに、診療椅子１が傾斜することによって、診療椅子１が再び起立できるようになるため、記号８ｅに対してＬＥＤ５０から光が照射される。これにより、起立スイッチに対応する位置表示が視認可能になる。
【０１２２】
図７（ｅ）に示すように、今度は診療椅子１の傾斜が限界になると、記号８ｆのみに対するＬＥＤ５０からの光の照射が停止されるため、記号８ｆのみがパネルの色（つまり、背景色）と同系色となり、操作者の視界から位置表示が消える。
【０１２３】
図５に戻り、上昇スイッチの押圧操作で診療椅子１の上昇が限界であるときには、上昇スイッチを押圧操作してもそれ以上診療椅子１を上昇させられないため、上昇スイッチに対応する記号８ｇが消灯する。一方、下降スイッチを押圧操作すれば診療椅子１を下降させられるため、下降スイッチに対応する記号８ｈは点灯する。
【０１２４】
下降スイッチの押圧操作で診療椅子１の下降が限界であるときには、下降スイッチを押圧操作してもそれ以上診療椅子１を下降させられないため、記号８ｈが消灯する。一方、上昇スイッチを押圧操作すれば診療椅子１を上昇させられるため、記号８ｇは点灯する。
【０１２５】
このように、チェアマニュアル機能のうち、すでに診療装置１０を各方向の限界位置まで移動完了させた機能に対応する記号は、ＬＥＤ５０からの光の照射が停止される。その結果、すでに診療装置１０を限界位置まで移動完了させた機能に対応する位置表示は、未だ診療装置１０を限界位置まで移動完了させていない機能に対応する位置表示よりも視認性が低下するため、操作者によって視認が不可能あるいは困難となる。
【０１２６】
また、チェアマニュアル機能は、起立スイッチなどのスイッチの押圧操作以外にも、フートコントローラ５の足踏操作によっても発揮できる。このため、フートコントローラ５の足踏操作によってすでに診療装置１０を各方向の限界位置まで移動完了させた場合にも、すでに診療装置１０を限界位置まで移動完了させた機能に対応する位置表示は、未だ診療装置１０を限界位置まで移動完了させていない機能に対応する位置表示よりも視認性が低下するため、操作者によって視認が不可能あるいは困難となる。
【０１２７】
また、挟み込み検知部１９によってコードなどの挟み込みが検知されている場合、診療椅子１の駆動が禁止されるため、挟み込みの検知が解除されるまで、診療装置１０の移動に関する全てのスイッチに対応する記号は、ＬＥＤ５０からの光の照射が停止される。その結果、診療装置１０の移動に関する全てのスイッチに対応する位置表示は、その他のスイッチに対応する位置表示よりも視認性が低下するため、操作者によって視認が不可能あるいは困難となる。
【０１２８】
これにより、チェアマニュアル機能を発揮できないにも関わらず操作者にチェアマニュアル機能に関するスイッチを誤って押圧操作させてしまうことを防止することができる。
【０１２９】
[チェア速度スイッチ]
チェア速度スイッチは、長押しされると診療椅子１の移動速度を通常速度と低速度との間で切り替える機能を発揮できるスイッチである。このため、診療椅子１の移動速度が通常速度および低速度のいずれに制御されているときでも、チェア速度スイッチに対応する記号８ｉは常に点灯する。
【０１３０】
図５に示すように、診療椅子１の移動速度が通常速度であるときには、チェア速度スイッチに対応するドット記号８０ｉが消灯し、診療椅子１の移動速度が低速度であるときには、ドット記号８０ｉが点灯する。
【０１３１】
このように、常に押圧操作できるチェア速度スイッチは記号８ｉが常に点灯することにより、操作者による押圧操作が促される。また、ドット記号８０ｉの視認態様に応じて、操作者は、診療椅子１の移動速度が通常速度および低速度のいずれに設定されているかを容易に特定することができる。
【０１３２】
[照明スイッチ]
照明スイッチは、押圧操作される毎に照明装置７を照明と消灯とで切り替える機能を発揮できるスイッチである。このため、図５に示すように、照明装置７が照明および消灯のいずれに制御されているときでも、照明スイッチに対応する記号８ｊは常に点灯する。
【０１３３】
このように、常に押圧操作できる照明スイッチは記号８ｊが常に点灯することにより、操作者による押圧操作が促される。
【０１３４】
[装備状態に関するスイッチ]
図５に示すように、ＨＳ１が装備されているときには、ＨＳ１スイッチに対応する記号８ｋが点灯し、ＨＳ１が装備されていないときには、記号８ｋが消灯する。また、ＨＳ１が被選択状態にあるときには、ドット記号８０ｋが点灯し、ＨＳ１が駆動中のときには、ドット記号８０ｋが点滅する。
【０１３５】
ＨＳ２が装備されているときには、ＨＳ２スイッチに対応する記号８ｍが点灯し、ＨＳ２が装備されていないときには、記号８ｍが消灯する。また、ＨＳ２が被選択状態にあるときには、ドット記号８０ｍが点灯し、ＨＳ２が駆動中のときには、ドット記号８０ｍが点滅する。
【０１３６】
ＬＳ１が装備されているときには、ＬＳ１スイッチに対応する記号８ｎが点灯し、ＬＳ１が装備されていないときには、記号８ｎが消灯する。また、ＬＳ１が被選択状態にあるときには、ドット記号８０ｎが点灯し、ＬＳ１が駆動中のときには、ドット記号８０ｎが点滅する。
【０１３７】
ＬＳ２が装備されているときには、ＬＳ２スイッチに対応する記号８ｐが点灯し、ＬＳ２が装備されていないときには、記号８ｐが消灯する。また、ＬＳ２が被選択状態にあるときには、ドット記号８０ｐが点灯し、ＬＳ２が駆動中のときには、ドット記号８０ｐが点滅する。
【０１３８】
ＳＣが装備されているときには、ＳＣスイッチに対応する記号８ｑが点灯し、ＳＣが装備されていないときには、記号８ｑが消灯する。また、ＳＣが被選択状態にあるときには、ドット記号８０ｑが点灯し、ＳＣが駆動中のときには、ドット記号８０ｑが点滅する。
【０１３９】
このように、装備されていない診療器具４のスイッチに対応する記号は、ＬＥＤ５０からの光の照射が停止される。その結果、装備されていない診療器具４のスイッチに対応する位置表示は、装備されている診療器具４のスイッチに対応する位置表示よりも視認性が低下するため、操作者によって視認が不可能あるいは困難となる。
【０１４０】
これにより、装備されていないにも関わらず操作者に診療器具４を選択するスイッチを誤って押圧操作させてしまうことを防止することができる。
【０１４１】
さらに、被選択状態にある診療器具４に対応するドット記号のみが点灯し、また、駆動中の診療器具４に対応するドット記号のみが点滅するため、操作者は現在使用中の診療器具４の種類を容易に特定することができる。
【０１４２】
[ＨＰライトスイッチ]
ＨＰライトスイッチは、ＨＳ１、ＨＳ２、ＬＳ１、ＬＳ２、およびＳＣのいずれかが選択された状態で押圧操作されたときに限り、ＨＰライトによる点灯と消灯とを切り替える機能を発揮できるスイッチである。このため、図５に示すように、ＨＳ１、ＨＳ２、ＬＳ１、ＬＳ２、およびＳＣのいずれかが選択されたときには、ＨＰライトスイッチに対応する記号８ｒが点灯し、いずれの診療器具４も選択されていないときには、記号８ｒが消灯する。
【０１４３】
また、ＨＰライトが明点灯しているときには、ＨＰライトスイッチに対応するドット記号８１ｒおよびドット記号８２ｒが点灯し、ＨＰライトが暗点灯しているときには、ドット記号８１ｒのみが点灯し、ＨＰライトが消灯しているときには、ドット記号８１ｒおよびドット記号８２ｒが消灯する。
【０１４４】
このように、ＨＳ１、ＨＳ２、ＬＳ１、ＬＳ２、およびＳＣのいずれも選択されていないときには、ＨＰライトスイッチに対応する記号８ｒに対してＬＥＤ５０からの光の照射が停止される。このため、ＨＳ１、ＨＳ２、ＬＳ１、ＬＳ２、およびＳＣのいずれかが選択されているときよりも、ＨＰライトスイッチに対応する位置表示の視認性が低下して、操作者によって視認が不可能あるいは困難となる。
【０１４５】
これにより、ＨＳ１、ＨＳ２、ＬＳ１、ＬＳ２、およびＳＣのいずれも選択されていないにも関わらず操作者にＨＰライトスイッチを誤って押圧操作させてしまうことを防止することができる。
【０１４６】
また、選択された診療器具４の先端部に設けられたＨＰライトが故障したことが検知される、あるいは、選択された診療器具４がもともと照明機能を備えていないなど、ＨＰライトから光を出射不可能なときにおいても、ＨＰライトスイッチに対応する記号８ｒに対してＬＥＤ５０からの光の照射が停止される。このため、ＨＰライトから光を出射可能なときよりも、ＨＰライトスイッチに対応する位置表示の視認性が低下して、操作者によって視認が不可能あるいは困難となる。
【０１４７】
これにより、ＨＰライトが故障しているにも関わらず操作者にＨＰライトスイッチを誤って押圧操作させてしまうことを防止することができる。
【０１４８】
さらに、ドット記号８１ｒおよびドット記号８２ｒの視認態様に応じて、操作者は、ＨＰライトの点灯態様を容易に特定することができる。
【０１４９】
[ＨＰ注水スイッチ]
ＨＰ注水スイッチは、ＨＳ１、ＨＳ２、ＬＳ１、ＬＳ２、およびＳＣのいずれかが選択された状態で押圧操作されたときに限り、ＨＰ注水部による注水をオンとオフとで切り替える機能を発揮できるスイッチである。このため、図５に示すように、ＨＳ１、ＨＳ２、ＬＳ１、ＬＳ２、およびＳＣのいずれかが選択されたときには、ＨＰ注水スイッチに対応する記号８ｓが点灯し、いずれの診療器具４も選択されていないときには、記号８ｓが消灯する。
【０１５０】
また、ＨＰ注水がオンのときには、ＨＰ注水スイッチに対応するドット記号８０ｓが点灯し、ＨＰ注水がオフのときには、ドット記号８０ｓが消灯する。
【０１５１】
このように、ＨＳ１、ＨＳ２、ＬＳ１、ＬＳ２、およびＳＣのいずれも選択されていないときには、ＨＰ注水スイッチに対応する記号８ｓに対してＬＥＤ５０からの光の照射が停止される。このため、ＨＳ１、ＨＳ２、ＬＳ１、ＬＳ２、およびＳＣのいずれかが選択されているときよりも、ＨＰ注水スイッチに対応する位置表示の視認性が低下して、操作者によって視認が不可能あるいは困難となる。
【０１５２】
これにより、ＨＳ１、ＨＳ２、ＬＳ１、ＬＳ２、およびＳＣのいずれも選択されていないにも関わらず操作者にＨＰ注水スイッチを誤って押圧操作させてしまうことを防止することができる。
【０１５３】
また、選択された診療器具４の先端部に設けられたＨＰ注水部が故障したことが検知されるなど、ＨＰ注水部から水を出射不可能なときにおいても、ＨＰ注水スイッチに対応する記号８ｓに対してＬＥＤ５０からの光の照射が停止される。このため、ＨＰ注水部から水を出射可能なときよりも、ＨＰ注水スイッチに対応する位置表示の視認性が低下して、操作者によって視認が不可能あるいは困難となる。
【０１５４】
これにより、ＨＰ注水部が故障しているにも関わらず操作者にＨＰ注水スイッチを誤って押圧操作させてしまうことを防止することができる。
【０１５５】
さらに、ドット記号８０ｓの視認態様に応じて、操作者は、ＨＰ注水の使用状態を容易に特定することができる。
【０１５６】
[レンジ切換スイッチ]
レンジ切替スイッチは、ＬＳ１、ＬＳ２、およびＳＣのいずれかが選択された状態で押圧操作されたときに限り、ＬＳの回転数の設定範囲やＳＣの駆動力の設定範囲を切り替える機能を発揮できるスイッチである。このため、図５に示すように、ＬＳ１、ＬＳ２、およびＳＣのいずれかが選択されたときには、レンジ切替スイッチに対応する記号８ｔが点灯し、いずれの診療器具４も選択されていないときには、記号８ｔが消灯する。
【０１５７】
このように、ＬＳ１、ＬＳ２、およびＳＣのいずれも選択されていないときには、レンジ切替スイッチに対応する記号８ｔに対してＬＥＤ５０からの光の照射が停止される。このため、ＬＳ１、ＬＳ２、およびＳＣのいずれかが選択されているときよりも、レンジ切替スイッチに対応する位置表示の視認性が低下して、操作者によって視認が不可能あるいは困難となる。
【０１５８】
これにより、ＬＳ１、ＬＳ２、およびＳＣのいずれも選択されていないにも関わらず操作者にレンジ切替スイッチを誤って押圧操作させてしまうことを防止することができる。
【０１５９】
[一定速／可変速切替スイッチ]
一定速／可変速切替スイッチは、ＨＳ１、ＨＳ２、ＬＳ１、およびＬＳ２のいずれかが選択された状態で押圧操作されたときに限り、回転速度のモードを一定速モードと可変速モードとで切り替える機能を発揮できるスイッチである。このため、図５に示すように、ＨＳ１、ＨＳ２、ＬＳ１、およびＬＳ２のいずれかが選択されたときには、一定速／可変速切替スイッチに対応する記号８ｕ、ドット記号８１ｕ、およびドット記号８２ｕが点灯し、いずれの診療器具４も選択されていないときには、記号８ｕ、ドット記号８１ｕ、およびドット記号８２ｕが消灯する。
【０１６０】
また、一定速モードに設定されているときには、ドット記号８２ｕのみが点灯し、可変速モードに設定されているときには、ドット記号８１ｕのみが点灯する。
【０１６１】
このように、ＨＳ１、ＨＳ２、ＬＳ１、およびＬＳ２のいずれも選択されていないときには、一定速／可変速切替スイッチに対応する記号８ｕに対してＬＥＤ５０からの光の照射が停止される。このため、ＨＳ１、ＨＳ２、ＬＳ１、およびＬＳ２のいずれかが選択されているときよりも、一定速／可変速切替スイッチに対応する位置表示の視認性が低下して、操作者によって視認が不可能あるいは困難となる。
【０１６２】
これにより、ＨＳ１、ＨＳ２、ＬＳ１、およびＬＳ２のいずれも選択されていないにも関わらず操作者に一定速／可変速切替スイッチを誤って押圧操作させてしまうことを防止することができる。
【０１６３】
さらに、ドット記号８１ｕおよびドット記号８２ｕの視認態様に応じて、操作者は、回転速度のモードの設定状態を容易に特定することができる。
【０１６４】
[回転方向切替スイッチ]
回転方向切替スイッチは、ＬＳ１およびＬＳ２のいずれかが選択された状態で押圧操作されたときに限り、回転方向のモードを正転モードと逆転モードとで切り替える機能を発揮できるスイッチである。このため、図５に示すように、ＬＳ１およびＬＳ２のいずれかが選択されたときには、回転方向切替スイッチに対応する記号８ｖ、ドット記号８１ｖ、およびドット記号８２ｖが点灯し、いずれの診療器具４も選択されていないときには、記号８ｖ、ドット記号８１ｖ、およびドット記号８２ｖが消灯する。
【０１６５】
また、正転モードに設定されているときには、ドット記号８１ｖのみが点灯し、逆転モードに設定されているときには、ドット記号８２ｖのみが点灯する。
【０１６６】
このように、ＬＳ１およびＬＳ２のいずれも選択されていないときには、回転方向切替スイッチに対応する記号８ｖに対してＬＥＤ５０からの光の照射が停止される。このため、ＬＳ１およびＬＳ２のいずれかが選択されているときよりも、回転方向切替スイッチに対応する位置表示の視認性が低下して、操作者によって視認が不可能あるいは困難となる。
【０１６７】
これにより、ＬＳ１およびＬＳ２のいずれも選択されていないにも関わらず操作者に回転方向切替スイッチを誤って押圧操作させてしまうことを防止することができる。
【０１６８】
さらに、ドット記号８１ｖおよびドット記号８２ｖの視認態様に応じて、操作者は、回転方向のモードの設定状態を容易に特定することができる。
【０１６９】
以上のように、ＨＰライトスイッチ、ＨＰ注水スイッチ、レンジ切替スイッチ、一定速／可変速切替スイッチ、および回転方向切替スイッチに対応する位置表示は、選択された診療器具４の種類に応じて、表れる場合と、表れない場合とがある。すなわち、選択された診療器具４の種類に応じて発揮可能な機能が決められており、機能を発揮させるスイッチに対応する位置表示のみが表れる。一方、機能を発揮させるスイッチに対応する位置表示は表れないため、操作者に押圧操作を促さない。
【０１７０】
たとえば、図８は、診療器具４を選択したときの位置表示の態様を説明するための図である。
【０１７１】
図８（ａ）に示すように、いずれの診療器具４も装備されていないときには、診療器具４の駆動に関するスイッチのいずれの記号も消灯している。このため、いずれの記号もパネルの色（つまり、背景色）と同系色となり、操作者の視界から位置表示が消えている。
【０１７２】
図８（ｂ）に示すように、ＨＳ１およびＬＳ１が装備されたときには、ＨＳ１スイッチに対応する記号８ｋと、ＬＳ１スイッチに対応する記号８ｎとが点灯する。その他のスイッチは押圧操作しても機能を発揮できないため、記号は消灯したままである。
【０１７３】
図８（ｃ）に示すように、ＨＳ１が選択されたときには、ドット記号８０ｋと、ＨＰライトスイッチに対応する記号８ｒと、ＨＰ注水スイッチに対応する記号８ｓと、一定速／可変速切替スイッチに対応する記号８ｕとが点灯する。その他のスイッチは押圧操作しても機能を発揮できないため、記号は消灯したままである。
【０１７４】
このように、操作者が装備状態の診療器具４を選択するためのスイッチを押圧操作するか、あるいはインスツルメントホルダ３０から装備状態の診療器具４を取り出すことによって診療器具４の保持が解除されて診療器具４が選択されると、押圧操作によって機能を発揮できるスイッチに対応する記号のみが点灯し、その他のスイッチに対応する位置表示は消灯して操作者の視界から消える。これにより、操作者は、押圧操作によって機能を発揮できるスイッチと、押圧操作によって機能を発揮できないスイッチ（つまり、押圧操作できないスイッチ）とを、操作パネル８を一目見たときに容易に判断することができる。
【０１７５】
なお、本実施の形態においては、タッチパネルを有する液晶型の操作パネルを用いていない。その理由は、液晶型の操作パネルの場合、非常に薄い膜に少し触れるだけで押圧操作が検知されるため、本実施の形態のスイッチ９０のように物理的に操作者に押圧可能なスイッチとは異なり、操作者にスイッチを押したクリック感を効果的に感じさせることができないためである。歯科の診療をする医者には年配者も多く、医者の中にはスイッチを押圧操作したときの手応えが感じられないとスイッチを押した気がしないと感じる者もいる。このため、クリック感を確保することを考慮すると、液晶型の操作パネルではなく、スイッチのように物理的に操作者に押圧操作させるようなスイッチを用いた操作パネルにする方がより好ましい。
【０１７６】
また、液晶型の操作パネルの場合、液晶ディスプレイを採用せざるを得ないため、配列されたスイッチの上に記号がシルク印刷されただけのパネル６０を載せた操作パネル８よりも高価になってしまう。
【０１７７】
さらに、限られた設計スペースの中で液晶型の操作パネルを配置すると、表示領域の制限上、どうしても表示に階層を設けなければならない。たとえば、ＨＳ１、ＨＳ２、ＬＳ１、ＬＳ２、およびＳＣといった診療器具４を選択するためのスイッチ画像が表示された上位階層と、ＨＳ１を選択したときに押圧操作可能なＨＰライトスイッチ、ＨＰ注水スイッチ、および一定速／可変速切替スイッチのスイッチ画像が表示された下位層といった具合に、表示を階層形式にしなければならない。このような階層形式に慣れている操作者であれば問題無いかもしれないが、医療分野に従事する年配の医者のように慣れていない操作者にとっては扱いづらく、どうしても敬遠されてしまう。
【０１７８】
上述したことに鑑みて、本実施の形態においては、押圧操作したときのクリック感を確保し、かつ費用を抑えるとともに、年配者にとって操作方法が分かりやすい操作パネルを提供するため、物理的なスイッチを採用しつつも、機能を発揮できるか否かに応じて操作パネル８に位置表示を登場させたり、消したりした。
【０１７９】
これにより、年配者であっても使いやすい非液晶型の操作パネルを採用しながら、押圧操作によって機能を発揮できるスイッチと、押圧操作によって機能を発揮できないスイッチ（つまり、押圧操作できないスイッチ）とを、操作パネル８を一目見たときに容易に判断させることができる。
【０１８０】
［変形例］
本発明は、上記の実施例に限られず、さらに種々の変形、応用が可能である。以下、本発明に適用可能な変形例について説明する。
【０１８１】
本実施の形態においては、押圧操作しても機能を発揮できないスイッチに対応する位置表示は操作者によって視認が不可能あるいは困難となるように操作パネル８上の視界から消す一方で、押圧操作しても機能を発揮できるスイッチに対応する位置表示は操作パネル８に表すものであった。しかし、これに限らず、押圧操作しても機能を発揮できないスイッチに対応する位置表示と押圧操作しても機能を発揮できるスイッチに対応する位置表示との視認性が変更されるものであれば、いずれの態様で位置表示を表してもよい。
【０１８２】
たとえば、押圧操作しても機能を発揮できるスイッチに対応する位置表示は操作者に目立たない色や形、大きさの記号を操作パネル８に表す一方で、押圧操作しても機能を発揮できるスイッチに対応する位置表示は操作者に目立つ色や形、大きさの記号を操作パネル８に表してもよい。
【０１８３】
本実施の形態においては、押圧操作しても機能を発揮できないスイッチに対応する位置表示は操作者によって視認が不可能あるいは困難となるように操作パネル８上の視界から消されるが、その反面、ＬＥＤ５０の故障によって消えている場合と区別できない。そこで、ＬＥＤ５０によって敢えて視認性が変更されているのか、あるいはＬＥＤ５０が故障しているのかを判断するため、ＬＥＤ５０が故障したか否かを判定する故障判定部を設け、故障判定部によって故障していると判定されたときにスピーカ２０から警告音を出力するものであってもよい。また、ＬＥＤ５０が故障しているか否かを操作者が確認するため、電源ＯＮ時では一旦全てのＬＥＤ５０が点灯することによって、一旦全てのスイッチに対応する位置表示が操作パネル８に表れるものであってもよい。
【０１８４】
本実施の形態においては、ＬＥＤ５０の点灯および消灯を制御するパネル制御部１３を、操作パネル８とは別の制御装置９が備えていた。しかし、これに限らず、操作パネル８がパネル制御部１３を備えていてもよい。
【０１８５】
本実施の形態においては、医療用診療装置が複数の機能部を備え、複数の機能部の各々に対応するスイッチについて、位置表示の視認性を変更するものであった。しかし、これに限らず、１つの機能部に対応するスイッチについてのみ位置表示の視認性を変更するものであってもよい。また、より構成を簡素化するため、必ずしも必要ではない記号（位置表示）、たとえば、押圧操作されたことを示す記号８３などは、設けなくてもよい。
【０１８６】
本実施の形態においては、挟み込み検知部１９によってコードなどの挟み込みが検知されている場合、挟み込みの検知が解除されるまで、診療装置１０の移動に関する全てのスイッチに対応する位置表示の視認性を変更するものであった。しかし、これに限らず、コードなどを挟み込まない方向の移動、つまり、挟み込みの検知が解除される方向の移動に関するスイッチについては、位置表示の視認性を変更せずに操作パネル８に表してもよい。
【０１８７】
本実施の形態においては、ＬＥＤ５０よって、操作パネル８に位置表示を表したり、消したりするものであったが、有機化合物からなる有機ＥＬ（Electroluminescence）を用いて操作パネル８に位置表示を表したり、消したりするものであってもよい。
【０１８８】
本実施の形態においては、病院などに設置される医療用診療装置が備える操作パネルについて例示したが、このような備え付けの医療用診療装置に限らず、持ち運び可能な携帯型の医療用診療装置が備える操作パネルに対しても本発明を適用することもできる。すなわち、機能部による機能を発揮させるために押圧操作されるスイッチを有する操作パネルであれば、いずれの医療用診療装置が備える操作パネルに対しても本発明を適用することができる。
【０１８９】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０１９０】
１  診療椅子、２  ベースンユニット、３  トレーテーブル、４  診療器具、５  フートコントローラ、９  制御装置、１０  医療用診療装置、１１  シート駆動部、１２  操作部、１３  パネル制御部、１４  診療器具駆動部、１５  モニタ制御部、１６  ベースン制御部、１７  照明制御部、１８  保持解除特定部、１９  警告音出力部、２０  スピーカ、３０  インスツルメントホルダ。
【図１】
2018149382.tif 000003
【図２】
2018149382.tif 000004
【図３】
2018149382.tif 000005
【図４】
2018149382.tif 000006
【図５】
2018149382.tif 000007
【図６】
2018149382.tif 000008
【図７】
2018149382.tif 000009
【図８】
2018149382.tif 000010